(57)【要約】      （修正有）【課題】ラケットの簡易型吸音振動防止帯の提供。【解決手段】長条型の振動吸収帯体１１の二端に一体に円球状で該帯体の断面より大きな結束部１２が形成され、該振動吸収帯体が弾性引き伸ばしの特性を具え、振動吸収帯体がラケットに結合される時、ラケットのガット間に通されて、並びに該結束部が二つのガットの交叉部分に繞設され、これにより振動防止帯のコストを減らすことができ、またそれとガットの結合を簡便に、安定させることができる。【選択図】図４
0003109433.tif 000002
【実用新案登録請求の範囲】
【請求項１】
長条型の振動吸収帯体を具えたラケットの簡易型吸音振動防止帯において、該振動吸収帯体の二端に一体に該振動吸収帯体の断面より大きな結束部が形成され、振動吸収帯体がラケットに結合される時、振動吸収帯体が複数のガットに通された後に、振動吸収帯体の端部が二つのガットの交叉部分の回りに繞設されて結束部で係止されることを特徴とする、ラケットの簡易型吸音振動防止帯。
【請求項２】
請求項１記載のラケットの簡易型吸音振動防止帯において、振動吸収帯体が弾性伸縮特性を具えたプラスチックで形成されてラケットのガット間に通すことができ、結束部が円球態様とされて振動吸収帯体とガットの繞設固定を順調とすることを特徴とする、ラケットの簡易型吸音振動防止帯。
【考案の詳細な説明】
【技術分野】
【０００１】
本考案は一種のラケットの簡易型吸音振動防止帯に係り、特にラケットで球を打つ時、ラケットと球の衝撃の振動、音を吸収、緩和するラケットの簡易型吸音振動防止帯に関する。
【背景技術】
【０００２】
生活品質の向上とレジャー、健康が重視されるようになり、現代人は仕事のほかにますます余暇の運動、例えば、水泳、ゴルフ、テニス等に注目するようになった。各種の余暇の運動中、いかに運動傷害を防止し、減らすかは運動用品設計の訴求の一つとなっている。ラケットについては、グリップ部分の握持が快適であることのほか、もう一つの重点として、打球時に発生する振動を如何に減らし、振動力がグリップを通して使用者の手部に伝わるのを減らして手部の不適或いは運動傷害を減らすかということがある。
【０００３】
以上の問題を解決するため、現在市場にあってラケットのガットに取り付けられる各種の振動防止器が提供されている。そのうちの一種はガット間に通される長条型振動防止器であり、その構造には図１から図３に示されるものがある。そのうち、図１、２に示されるものは、長条型の振動吸収本体９１の二端に二次射出方式でフック９２が形成され、該フック９２によりガットに係止できるものとされる。二つのフック９２はガットと係止されるために、その材質は硬質のプラスチック材料とされて、振動吸収本体９１のみが振動吸収効果を有する弾性材料で形成され、フック９２はほぼ振動吸収作用を有しておらず、振動力を伝える効果は非常に不足している。これにより、振動吸収器が打球時の振動を吸収する効率は不良であり、且つ球を打つ位置がフック９２であると、往々にして打撃の瞬間に球の方向、速度に対して不良な影響を与える。このほか、この周知の振動吸収本体９１とフック９２は一体成形されず、接続部分に使用により損傷したり断裂する情況を発生しやすく、且つ製造、加工コストが高くつく。ゆえにこのような周知の振動吸収器は改良の必要がある。
【０００４】
図３に示される周知の技術は、帯体８１の二端に一体に振動吸収体８２が形成され、各振動吸収体８２の内側に中空収容室８２１が形成され、複数の顆粒物８３が収容され、外側に環周面に沿ってガットと嵌合される位置決め係止溝８２２が形成されている。この周知の製品とラケットの結合時には、帯体８１の一端が複数のガットに通された後、これら位置決め係止溝８２２がガットに嵌合されて固定され、振動吸収器とラケットのガットが結合されて緩衝、振動吸収効果を提供する。この周知の振動吸収器は一体成形され、その構造の安定性が増され、二つの振動吸収体８２が良好な緩衝、振動吸収能力を有する。しかし、その固定方式は衝撃を受けて弛みやすく、離脱しやすく、なぜなら各振動吸収体８２に形成された位置決め係止溝８２２はガットと単純に嵌合式に結合されているだけであり、緊密に結束或いは巻き付け式に結合されていないためであり、このため、振動吸収体８２は衝撃により位置決め係止溝８２２とガットの離脱を形成しやすく、振動防止器のガットからの脱落には至らないものの、打球の問題及び振動吸収効果に対して影響が生じる。このためこの技術も改良の必要がある。
【考案の開示】
【考案が解決しようとする課題】
【０００５】
本考案の主要な目的は、一種のラケットの簡易型吸音振動防止帯を提供することにあり、それは、ラケットの衝撃の振動を減らす振動防止帯のラケットへの固定を簡単、強固とし、並びにその製造コストを減らしたものとする。
【課題を解決するための手段】
【０００６】
請求項１の考案は、長条型の振動吸収帯体を具えたラケットの簡易型吸音振動防止帯において、該振動吸収帯体の二端に一体に該振動吸収帯体の断面より大きな結束部が形成され、振動吸収帯体がラケットに結合される時、振動吸収帯体が複数のガットに通された後に、振動吸収帯体の端部が二つのガットの交叉部分の回りに繞設されて結束部で係止されることを特徴とする、ラケットの簡易型吸音振動防止帯としている。
請求項２の考案は、請求項１記載のラケットの簡易型吸音振動防止帯において、振動吸収帯体が弾性伸縮特性を具えたプラスチックで形成されてラケットのガット間に通すことができ、結束部が円球態様とされて振動吸収帯体とガットの繞設固定を順調とすることを特徴とする、ラケットの簡易型吸音振動防止帯としている。
【考案の効果】
【０００７】
本考案は以下の効果を達成している。
１．振動防止帯の構造強度が強化され、製造コストが減らされている。本考案の振動防止帯は精巧な一体式構造とされ、その構造強度が増されているのみならず、長時間の伸縮使用によって形成される損傷が減らされ、また、大量の製造コストを減らせ、並びにそれが販売コストに反映されて製品の競争力を増すことができる。
２．取り付け、取り外しが簡単で、安定している。本考案の振動防止帯をラケットに固定する時は、結束部と振動吸収帯体のいずれもが伸縮弾性を有しているため、その固定方式は伝統的な係止構造によるものとは異なり、振動吸収帯体末端の細径部分がラケットの十字に交叉したガットの回りに繞設された後に、結束部が振動吸収帯体とガット間の空隙に挿入され、活動嵌合式の結束を形成する（図６、７）。このような結合方式は迅速簡単であるのみならず、固定効果が安定し脱落しにくく、また着脱が順調に、簡単に行なえる。
３．振動吸収効率がアップされている。本考案の振動防止帯は全体が弾性を有し、且つ二端の結束部の体積が非常に小さく、二つの結束部とガットが緊密に繞設式に結合される時、確実に打撃時に発生する振動を吸収でき、球が振動防止帯に衝突する時に発生する不良な影響を減らすことができる。
【０００８】
以上から分かるように、本考案は周知の技術の欠点を克服し、多くの長所と実用価値を提供している。ゆえに本考案は進歩性、及び実用性を有する考案であり、その構造はその出願前に頒布された刊行物に記載されておらず、また公開使用もされていないため新規性を有している。
【考案を実施するための最良の形態】
【０００９】
本考案のラケットの簡易型吸音振動防止帯は、長条型で弾性伸縮特性を具えた振動吸収帯体の二端に一体に円球状を呈し且つ帯体断面より大きな結束部が形成され、該結束部と振動吸収帯体が共に弾性を具え、振動防止帯がガットに通される時に、結束部が二つのガットの交叉部分に繞設され、これにより振動防止帯とラケットの結合が更に簡単で安定するものとされ、並びにその製造コストが減らされ、更に、振動防止帯と球が衝突する時の不良な影響を減らす。
【実施例１】
【００１０】
図４から図７に示されるように、本考案はラケットの簡易型吸音振動防止帯を提供し、該振動防止帯１０は長条型を呈する振動吸収帯体１１の二端に、外径が該振動吸収帯体１１の断面より大きい結束部１２が設けられてなる。
【００１１】
該振動吸収帯体１１は弾性伸縮特性を具えたプラスチック材料で形成され、断面が扁平状を呈し、その断面積は中段位置より二つの外端に向けて漸次縮小される設計とされ、一体に該結束部１２が形成されている。
【００１２】
該結束部１２は円球状を呈し、同様に弾性特性を有し、その円径は振動吸収帯体１１末端部の断面より大きい。
【００１３】
これにより、振動防止帯１０がラケット２０に結合される時は、先ず該振動吸収帯体１１が複数のガット２１の間に通され、更に二つの結束部１２が二つの十字交叉を呈するガット２１部分に繞設されて緊締、結合され、それとラケット２０の結合が簡単で、安定したものとされる。また振動防止帯１０の製造コストを下げることができる。
【００１４】
本考案は実際に使用する時、振動防止帯１０がラケット２０の打撃面の下端に通され、これにより、打撃時に発生する反作用力がラケット２０のグリップを通して使用者の手部に伝えられる時に、まず、振動防止帯１０でその大部分の力が吸収されて、予期され振動力緩和の目的が性される。
【図面の簡単な説明】
【００１５】
【図１】周知の技術の立体外観図である。
【図２】別の周知の技術の立体外観図である。
【図３】更に別の周知の技術の立体外観図である。
【図４】本考案の立体外観図である。
【図５】本考案のラケットへの取り付け操作表示図である。
【図６】本考案のラケットへの取り付け状態表示図である。
【図７】本考案のラケットへの別の取り付け状態表示図である。
【符号の説明】
【００１６】
１０  振動防止帯            １１  振動吸収帯体
１２  結束部                ２０  ラケット
２１  ガット
【図１】
0003109433.tif 000003
【図２】
0003109433.tif 000004
【図３】
0003109433.tif 000005
【図４】
0003109433.tif 000006
【図５】
0003109433.tif 000007
【図６】
0003109433.tif 000008
【図７】
0003109433.tif 000009